【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
フロントエンドインターフェースと、少なくとも１つのトレースラインと、前記フロントエンドインターフェースと前記トレースラインの少なくとも１つの上の第１の位置の両方に結合された少なくとも１つの送信器と、前記少なくとも１つのトレースライン上の第２の位置に結合された受信器とを有するセンサに関連したデータ処理装置によって実行される方法であって、
前記センサの前記フロントエンドインターフェースにおいて信号にアクセスするステップであって、前記センサはマトリクスにおけるトレースラインを含む、ステップと、
アクセスされた前記信号を、前記送信器から、前記センサの前記トレースラインの少なくとも１つの上の前記第１の位置に送信して、アクセスされた前記信号を、アクセスされた前記信号が送信される前記第１の位置に対応する前記トレースラインに沿って送信するのを促進するステップであって、前記マトリクスの２つのエッジにおいて前記センサを送信される前記信号で駆動し、抵抗−キャパシタンスの時定数を、１つのエッジにおいて送信される前記信号で前記センサを駆動することから導出される時定数と比較して１／２に低減するステップをさらに含むステップと、
アクセスされ送信された前記信号を、前記トレースラインから、前記センサの前記トレースラインの前記第２の位置に結合された前記受信器を介して前記センサの前記受信器で受信するステップと、
アクセスされた前記信号を送信するのに使用された前記トレースラインに沿って、送信器の前記第１の位置と受信器の前記第２の位置の間の距離にアクセスするステップと、
アクセスされた前記距離に基づいて、送信された前記信号が前記送信に基づいて受けると予想される変換を、前記第１の位置と前記第２の位置の間の前記距離の関数として求めるステップと、
求められた前記変換に基づいて、予想される相関信号を生成するステップと、
予想される前記相関信号を前記センサの前記受信器で受信するステップと、
受信した予想される前記相関信号に基づいて、送信された前記信号が前記送信に基づいて受けると予想される前記変換を少なくとも部分的に補償するのに用いることができる情報を識別するステップと、
受信した予想される前記相関信号を適用することにより、送信された前記信号が前記送信に基づいて受けると予想される前記変換の少なくとも一部を補償するステップと
を含むことを特徴とする方法。
【請求項２】
請求項１に記載の方法であって、予想される前記相関信号は、アナログ信号に対応する相関情報に相当することを特徴とする方法。
【請求項３】
請求項１に記載の方法であって、予想される前記相関信号は、デジタルデータに対応する相関情報に相当することを特徴とする方法。
【請求項４】
請求項１に記載の方法であって、前記変換は位相シフトを含むことを特徴とする方法。
【請求項５】
請求項４に記載の方法であって、前記変換は減衰をさらに含むことを特徴とする方法。
【請求項６】
請求項１に記載の方法であって、前記変換は線形フィルタリングの効果を含むことを特徴とする方法。
【請求項７】
請求項１に記載の方法であって、前記変換は減衰および遅延を含むことを特徴とする方法。
【請求項８】
請求項１に記載の方法であって、前記変換は、予想される前記相関信号用の正弦波形に適用されることを特徴とする方法。
【請求項９】
請求項１に記載の方法であって、前記変換は、予想される前記相関信号用の非正弦波形に適用されることを特徴とする方法。
【請求項１０】
請求項１に記載の方法であって、
補償する前記ステップは、
積分期間にわたって、受信した送信された前記信号の波形と予想される前記相関信号の波形の積を計算するステップと、
前記積の積分を計算するステップと
を含み、
前記受信器の出力に前記計算の結果を供給するステップをさらに含むことを特徴とする方法。
【請求項１１】
請求項１に記載の方法であって、
受信した送信された前記信号の前記変換を、前記マトリクス構造における前記送信器と前記受信器の間の前記距離の関数としてモデル化するステップ
をさらに含むことを特徴とする方法。
【請求項１２】
請求項１１に記載の方法であって、前記変換をモデル化するステップは、前記少なくとも１つのトレースラインを、前記第１の位置と前記第２の位置の間の前記距離に沿って分布した抵抗およびキャパシタンスを有するものとしてモデル化するステップを含むことを特徴とする方法。
【請求項１３】
請求項１１に記載の方法であって、送信された前記信号が受けると予想される前記変換を求めるステップは、
前記第１の位置と前記第２の位置の間の前記距離に沿って１組の変換を測定するステップと、
送信された前記信号が受けると予想される前記変換を近似する、前記１組の変換の中の変換のうちの１つを選択するステップと
を含むことを特徴とする方法。
【請求項１４】
請求項１３に記載の方法であって、前記変換は位相シフトを含み、前記１組の変換は１組の位相シフトを含むことを特徴とする方法。
【請求項１５】
請求項１１に記載の方法であって、
前記変換は位相シフトを含み、送信される前記信号が受けると予想される前記変換を求めるステップは、
前記少なくとも１つのトレースラインに沿って、それぞれの位置に沿ったそれぞれの位相シフトを測定するステップと、
測定された前記位相シフトのうちの１つに関連する前記距離を、前記第１の位置と前記第２の位置の間の距離と照合することに基づいて、測定された前記位相シフトのうちの１つを選択するステップと、
測定された前記位相シフトの選択されたものを、送信された前記信号が受けると予想される前記位相シフトとして割り当てるステップと
を含むことを特徴とする方法。
【請求項１６】
請求項１１に記載の方法であって、
前記変換は位相シフトを含み、送信された前記信号が受けると予想される前記変換を求めるステップは、
前記少なくとも１つのトレースラインに沿って、それぞれの位置に沿ったそれぞれの位相シフトを測定するステップと、
測定された前記位相シフトの線形補間を利用して、送信された前記信号が前記第２の位置において前記受信器で受けると予想される前記位相シフトを近似するステップと、
補間された前記位相シフトを、送信された前記信号が受けると予想される前記位相シフトとして割り当てるステップと
を含むことを特徴とする方法。
【請求項１７】
請求項１１に記載の方法であって、
前記変換は位相シフトを含み、送信された前記信号が受けると予想される前記変換を求めるステップは、
送信された前記信号の波形の同相バージョンおよび直角位相バージョンに対して相関を取るステップと、
同相の前記波形と直角位相の前記波形のアークタンジェント関数を計算することにより、送信された前記信号が受けると予想される前記位相シフトを計算するステップと
を含むことを特徴とする方法。
【請求項１８】
請求項１に記載の方法であって、送信する前記ステップは、前記マトリクスの複数のエッジにおいて前記センサを送信される前記信号で駆動して、抵抗−キャパシタンスの時定数を、１つのエッジにおいて送信される前記信号で前記センサを駆動することから導出される時定数と比較して低減するステップをさらに含むことを特徴とする方法。
【請求項１９】
請求項１８に記載の方法であって、複数のエッジの数は４であり、前記抵抗−キャパシタンスの時定数を、１つのエッジにおいて送信される波形で前記センサを駆動することから導出される前記時定数と比較して１／４に低減することを特徴とする方法。
【請求項２０】
請求項１に記載の方法であって、
前記センサは、行と列を有するマトリクス構造に形成されたトレースラインを備え、
前記行の少なくとも１つまたは前記列の少なくとも１つの、少なくとも１つのトレースラインは、分割されて、前記１つのトレースラインのおよそ半分の長さの２つのトレースラインを形成し、
分割された前記トレースラインは、分割された前記トレースラインの第１の部分に相当する前記トレースラインの第１の区間および分割された前記トレースラインの第２の部分に相当する前記トレースラインの第２の区間を形成し、
第１の分割された前記トレースラインまたは第２の分割された前記トレースラインのいずれかの抵抗−キャパシタンスの時定数は、第１の分割された前記トレースラインまたは第２の分割された前記トレースラインの長さの関数であることを特徴とする方法。
【請求項２１】
請求項１に記載の方法であって、前記センサは容量型タッチセンサを備えることを特徴とする方法。
【請求項２２】
センサを備えるシステムであって、該センサは、
フロントエンドインターフェースと、
マトリクス構造のトレースラインと、
その上に第１の位置および第２の位置を有する少なくとも１つのトレースラインと、
前記フロントエンドインターフェースと前記トレースラインの少なくとも１つの上の前記第１の位置の両方に結合された少なくとも１つの送信器と、
前記少なくとも１つのトレースライン上の前記第２の位置に結合された受信器と
を備え、前記システムは、
前記センサの前記フロントエンドインターフェースにおいて信号にアクセスすることと、
アクセスされた前記信号を、前記送信器から前記センサの前記トレースラインの少なくとも１つの上の前記第１の位置へ送信して、アクセスされた前記信号の、アクセスされた前記信号が送信される前記第１の位置に対応する前記トレースラインに沿った送信を促進することであって、前記マトリクスの２つのエッジにおいて前記センサを送信される前記信号で駆動し、抵抗−キャパシタンスの時定数を、１つのエッジにおいて送信される前記信号で前記センサを駆動することから導出される時定数と比較して１／２に低減することを含む、送信することと、
アクセスされ送信された前記信号を、前記トレースラインから、前記センサの前記トレースラインの前記第２の位置に結合された前記受信器を介して前記センサの前記受信器で受信することと、
アクセスされた前記信号を送信するのに使用された前記トレースラインに沿って、送信器の前記第１の位置と受信器の前記第２の位置の間の距離にアクセスすることと、
アクセスされた前記距離に基づいて、送信された前記信号が前記送信に基づいて受けると予想される変換を、前記第１の位置と前記第２の位置の間の前記距離の関数として求めることと、
求められた前記変換に基づいて、予想される相関信号を生成することと、
予想される前記相関信号を前記センサの前記受信器で受信することと、
受信した予想される前記相関信号に基づいて、送信された前記信号が前記送信に基づいて受けると予想される前記変換を少なくとも部分的に補償するのに用いることができる情報を識別することと、
受信した予想される前記相関信号を適用することにより、送信された前記信号が前記送信に基づいて受けると予想される前記変換の少なくとも一部を補償することと
を行うように構成されることを特徴とするシステム。
【請求項２３】
請求項２２に記載のシステムであって、予想される前記相関信号は、アナログ信号に対応する相関情報に相当することを特徴とするシステム。
【請求項２４】
請求項２２に記載のシステムであって、予想される前記相関信号は、デジタルデータに対応する相関情報に相当することを特徴とするシステム。
【請求項２５】
請求項２２に記載のシステムであって、前記変換は位相シフトを含むことを特徴とするシステム。
【請求項２６】
請求項２５に記載のシステムであって、前記変換は減衰をさらに含むことを特徴とするシステム。
【請求項２７】
請求項２２に記載のシステムであって、前記変換は線形フィルタリングの効果を含むことを特徴とするシステム。
【請求項２８】
請求項２２に記載のシステムであって、前記システムにおける前記変換は減衰および遅延を含むことを特徴とするシステム。
【請求項２９】
請求項２２に記載のシステムであって、前記変換を、予想される前記相関信号用の正弦波形に適用するように構成されることを特徴とするシステム。
【請求項３０】
請求項２２に記載のシステムであって、前記変換を、予想される前記相関信号用の非正弦波形に適用するように構成されることを特徴とするシステム。
【請求項３１】
請求項２２に記載のシステムであって、
前記補償することは、
積分期間にわたって、受信した送信された前記信号の波形と予想される前記相関信号の波形の積を計算することと、
前記積の積分を計算することと
を含むように前記システムが構成され、
前記受信器の出力に前記計算の結果を供給するように構成されることを特徴とするシステム。
【請求項３２】
請求項２２に記載のシステムであって、受信した送信された前記信号の前記変換を、前記マトリクス構造の前記送信器と前記受信器の間の前記距離の関数としてモデル化するように構成されることを特徴とするシステム。
【請求項３３】
請求項２２に記載のシステムであって、前記システムにおける前記変換のモデル化は、前記少なくとも１つのトレースラインを、前記第１の位置と前記第２の位置の間の前記距離に沿って分布した抵抗およびキャパシタンスを有するものとしてモデル化することを含むことを特徴とするシステム。
【請求項３４】
請求項２２に記載のシステムであって、
前記第１の位置と前記第２の位置の間の前記距離に沿って１組の変換を測定し、
送信された前記信号が受けると予想される前記変換を近似する、前記１組の変換の中の変換のうちの１つを選択する
ことにより、送信された前記信号が受けると予想される前記変換を求めるように構成されることを特徴とするシステム。
【請求項３５】
請求項３４に記載のシステムであって、前記変換は位相シフトを含み、前記１組の変換は１組の位相シフトを含むことを特徴とするシステム。
【請求項３６】
請求項２２に記載のシステムであって、
前記変換は位相シフトを含み、前記システムは、
前記少なくとも１つのトレースラインに沿って、それぞれの位置に沿ったそれぞれの位相シフトを測定し、
測定された前記位相シフトのうちの１つに関連する前記距離を、前記第１の位置と前記第２の位置の間の距離と照合することに基づいて、測定された前記位相シフトのうちの１つを選択し、
測定された前記位相シフトの選択されたものを、送信された前記信号が受けると予想される前記位相シフトとして割り当てる
ことにより、送信された前記信号が受けると予想される前記変換を求めるように構成されることを特徴とするシステム。
【請求項３７】
請求項２２に記載のシステムであって、
前記変換は位相シフトを含み、
前記システムは、
前記少なくとも１つのトレースラインに沿って、それぞれの位置に沿ったそれぞれの位相シフトを測定し、
測定された前記位相シフトの線形補間を利用して、送信された前記信号が前記第２の位置において前記受信器で受けると予想される前記位相シフトを近似し、
補間された前記位相シフトを、送信された前記信号が受けると予想される前記位相シフトとして割り当てる
ことにより、送信された前記信号が受けると予想される前記変換を求めるように構成されることを特徴とするシステム。
【請求項３８】
請求項２２に記載のシステムであって、
前記変換は位相シフトを含み、
前記システムは、
送信された前記信号の波形の同相バージョンおよび直角位相バージョンに対して相関を取り、
同相の前記波形と直角位相の前記波形のアークタンジェント関数を計算することにより、送信された前記信号が受けると予想される前記位相シフトを計算する
ことにより、送信された前記信号が受けると予想される前記変換を求めるように構成されることを特徴とするシステム。
【請求項３９】
請求項２２に記載のシステムであって、前記送信することは、前記マトリクスの複数のエッジにおいて前記センサを送信される前記信号で駆動し、抵抗−キャパシタンスの時定数を、１つのエッジにおいて送信される前記信号で前記センサを駆動することから導出される時定数と比較して低減することをさらに含むように、前記システムが構成されることを特徴とするシステム。
【請求項４０】
請求項３９に記載のシステムであって、複数のエッジの数は４であり、前記抵抗−キャパシタンスの時定数を、１つのエッジにおいて送信された前記波形で前記センサを駆動することから導出される前記時定数と比較して１／４に低減することを特徴とするシステム。
【請求項４１】
請求項２２に記載のシステムであって、
前記センサは、行と列を有するマトリクス構造に形成されたトレースラインを備え、
前記行の少なくとも１つまたは前記列の少なくとも１つの、少なくとも１つのトレースラインは、分割されて、前記１つのトレースラインのおよそ半分の長さの２つのトレースラインを形成し、
分割された前記トレースラインは、分割された前記トレースラインの第１の部分に相当する前記トレースラインの第１の区間および分割された前記トレースラインの第２の部分に相当する前記トレースラインの第２の区間を形成し、第１の分割された前記トレースラインまたは第２の分割された前記トレースラインのいずれかの抵抗−キャパシタンスの時定数は、第１の分割された前記トレースラインまたは第２の分割された前記トレースラインの長さの関数であることを特徴とするシステム。
【請求項４２】
請求項２２に記載のシステムであって、前記センサは容量型タッチセンサを備えることを特徴とするシステム。
【請求項４３】
センサであって、
マトリクス構造のトレースラインと、
フロントエンドインターフェースと、
その上に第１の位置および第２の位置を有する少なくとも１つのトレースラインと、
前記フロントエンドインターフェースと前記トレースラインの少なくとも１つの上の前記第１の位置の両方に結合された少なくとも１つの送信器と、
前記少なくとも１つのトレースライン上の前記第２の位置に結合された受信器と
を備えたセンサと、
前記センサの前記フロントエンドインターフェースにおいて信号にアクセスするための手段と、
アクセスされた前記信号を、前記送信器から前記センサの前記トレースラインの少なくとも１つの上の前記第１の位置へ送信して、アクセスされた前記信号の、アクセスされた前記信号が送信される前記第１の位置に対応する前記トレースラインに沿った送信を促進するための手段であって、前記送信は、前記マトリクスの２つのエッジにおいて前記センサを送信される前記信号で駆動し、抵抗−キャパシタンスの時定数を、１つのエッジにおいて送信される前記信号で前記センサを駆動することから導出される時定数と比較して１／２に低減することをさらに含む、手段と、
アクセスされ送信された前記信号を、前記トレースラインから、前記センサの前記トレースラインの前記第２の位置に結合された前記受信器を介して前記センサの前記受信器で受信するための手段と、
アクセスされた前記信号を送信するのに使用された前記トレースラインに沿って、送信器の前記第１の位置と受信器の前記第２の位置の間の距離にアクセスするための手段と、
アクセスされた前記距離に基づいて、送信された前記信号が前記送信に基づいて受けると予想される変換を、前記第１の位置と前記第２の位置の間の前記距離の関数として求めるための手段と、
求められた前記変換に基づいて、予想される相関信号を生成するための手段と、
予想される前記相関信号を前記センサの前記受信器で受信するための手段と、
受信した予想される前記相関信号に基づいて、送信された前記信号が前記送信に基づいて受けると予想される前記変換を少なくとも部分的に補償するのに用いることができる情報を識別するための手段と、
受信した予想される前記相関信号を適用することにより、送信された前記信号が前記送信に基づいて受けると予想される前記変換の少なくとも一部を補償するための手段と
を備えることを特徴とするシステム。